【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
縦の軸線と近位の端部と遠位の端部とを有するシャフトと、
前記シャフトの前記近位の端部に接続され、少なくとも第１のブレードおよび第２のブレードを有する先端とを含む、ねじを回転させかつ保持するための道具において、前記第１のブレードの面および前記第２のブレードの面は、前記縦の軸線の対向する側で前記シャフトの前記縦の軸線に直角で、互いに平行であり、これらの面に直角な方向にずれており、それによって、前記第１のブレードの面および前記第２のブレードの面は、前記先端と前記ブレードとの間に締まり嵌め部を形成するようにねじの非ずれ部分に共同して係合し、(i)少なくとも１つのブレードが、２段階のテーパーを有し、 (ii)前記テーパーの最も狭い箇所は、前記道具の前記近位の端部にあり、それによって、前記道具がねじに挿入されるにつれて、前記ブレードの有効厚さが増大することを可能にし、それによって、前記先端と前記ブレードとの間により良好な締まり嵌め部を形成することを特徴とする、ねじを回転させかつ保持するための道具。
【請求項２】
前記道具が、前記シャフトの前記近位の端部に接続された第３のブレードおよび第４のブレードをさらに含み、前記第３のブレードおよび第４のブレードが、実質的に同一平面上にありかつ前記第１のブレードおよび第２のブレードに直角であって実質的に十字形を形成することを特徴とする請求項１記載の道具。
【請求項３】
前記道具が前記先端の前記近位の端部を超えて前記道具の前記縦の軸線に沿って伸張する小片をさらに含むことを特徴とする請求項１記載の道具。
【請求項４】
前記道具が前記シャフトの前記遠位の端部に操作可能に接続された取っ手をさらに含むことを特徴とする請求項１記載の道具。
【請求項５】
前記先端の頭部が実質的に十字形の断面であることを特徴とする請求項１記載の道具。
【請求項６】
前記シャフトの前記遠位の端部が結合部に接続されていることを特徴とする請求項１記載の道具。
【請求項７】
前記先端の少なくとも一部が球状の区域を有することを特徴とする請求項１記載の道具。
【請求項８】
縦の軸線と近位の端部と遠位の端部とを有するシャフトと、
前記シャフトの前記近位の端部に接続され、少なくとも第１のブレードおよび第２のブレードを有する先端とを含む、ねじを回転させかつ保持するための道具において、前記第１のブレードの面および前記第２のブレードの面は、前記縦の軸線の対向する側で前記シャフトの前記縦の軸線に直角で、互いに平行であり、これらの面に直角な方向にずれており、それによって、前記第１のブレードの面および前記第２のブレードの面は、前記先端と前記ブレードとの間に締まり嵌め部を形成するようにねじの非ずれ部分に共同して係合し、前記先端の少なくとも１つが、球面半径を有することを特徴とする、ねじを回転させかつ保持するための道具。
【請求項９】
前記道具が、前記シャフトの前記近位の端部に接続された第３のブレードおよび第４のブレードをさらに含み、前記第３のブレードおよび第４のブレードが、実質的に同一平面上にありかつ前記第１のブレードおよび第２のブレードに直角であって実質的に十字形を形成することを特徴とする請求項８記載の道具。
【請求項１０】
前記道具が前記先端の前記近位の端部を超えて前記道具の前記縦の軸線に沿って伸張する小片をさらに含むことを特徴とする請求項８記載の道具。
【請求項１１】
前記道具が前記シャフトの前記遠位の端部に操作可能に接続された取っ手をさらに含むことを特徴とする請求項８記載の道具。
【請求項１２】
少なくとも１つのブレードがテーパーを有し、前記テーパーの最も狭い箇所が前記道具の近位の端部にあることを特徴とする請求項８記載の道具。
【請求項１３】
前記先端の頭部が実質的に十字形の断面であることを特徴とする請求項８記載の道具。
【請求項１４】
前記シャフトの前記遠位の端部が結合部に接続されていることを特徴とする請求項８記載の道具。
【請求項１５】
前記第１のブレードと前記第２のブレードとの間のずれが約０．２ｍｍと約０．０２ｍｍとの間にあることを特徴とする請求項１記載の道具。
【請求項１６】
前記２段階のテーパーは、前記少なくとも１つのブレードの厚さを、前記近位の端部から前記遠位の端部に向かう方向に第１の割合で増大させる第１段階のテーパーと、前記少なくとも１つのブレードの厚さを、前記近位の端部から前記遠位の端部に向かう方向に、前記第１の割合と異なる第２の割合で増大させる第２段階のテーパーとを有することを特徴とする請求項１記載の道具。
【請求項１７】
前記第２段階のテーパーは、前記第１段階のテーパーの遠位側に配置されており、前記第２の割合は、前記第１の割合よりも大きいことを特徴とする請求項１６に記載の道具。
【請求項１８】
前記第１段階のテーパーは、前記縦の軸線に対して第１の鋭角を形成し、前記第２段階のテーパーは、前記縦の軸線に対して第２の鋭角を形成し、前記第１の鋭角と前記第２の鋭角は異なることを特徴とする請求項１６記載の道具。
【請求項１９】
前記第２の鋭角は、前記第１の鋭角よりも大きいことを特徴とする請求項１８記載の道具。
【請求項２０】
前記第２段階のテーパーは、前記第１段階のテーパーの遠位側に配置されていることを特徴とする請求項１９記載の道具。
【請求項２１】
前記第２段階のテーパーは、前記第１段階のテーパーに接続されていることを特徴とする請求項２０記載の道具。
【請求項２２】
前記ブレードの少なくとも１つは、前記縦の軸線に対して第１の鋭角を形成する第１段階のテーパーと、前記縦の軸線に対して第２の鋭角を形成する第２段階のテーパーとを有し、前記第１の鋭角と前記第２の鋭角は異なることを特徴とする請求項８記載の道具。
【請求項２３】
前記第２の鋭角は、前記第１の鋭角よりも大きいことを特徴とする請求項２２記載の道具。
【請求項２４】
前記第２段階のテーパーは、前記第１段階のテーパーの遠位側に配置されていることを特徴とする請求項２３記載の道具。
【請求項２５】
前記第２段階のテーパーは、前記第１段階のテーパーに接続されていることを特徴とする請求項２４記載の道具。
【請求項２６】
縦の軸線と近位の端部と遠位の端部とを有するシャフトと、
前記シャフトの前記近位の端部に接続され、少なくとも第１のブレードおよび第２のブレードを有する外科用先端とを含む、ねじを回転させかつ保持するための道具において、前記第１のブレードの面および前記第２のブレードの面は、前記縦の軸線の対向する側で前記シャフトの前記縦の軸線に直角で、互いに平行であり、これらの面に直角な方向にずれており、それによって、前記第１のブレードの面および前記第２のブレードの面は、前記先端と前記ブレードとの間に締まり嵌め部を形成するようにねじの非ずれ部分に共同して係合し、前記先端の少なくとも１つが、球面半径を有することを特徴とする、ねじを回転させかつ保持するための道具。
【請求項２７】
前記先端の少なくとも１つが、球面半径を有することを特徴とする請求項２６記載の道具。
【請求項２８】
前記先端は、平らな頭部先端であることをことを特徴とする請求項２６記載の道具。
【請求項２９】
前記ブレードの少なくとも１つは、前記縦の軸線に対して第１の鋭角を形成する第１段階のテーパーと、前記縦の軸線に対して第２の鋭角を形成する第２段階のテーパーとを有し、前記第１の鋭角と前記第２の鋭角は異なることを特徴とする請求項８記載の道具。
【請求項３０】
前記第２の鋭角は、前記第１の鋭角よりも大きいことを特徴とする請求項２２記載の道具。
【請求項３１】
前記第２段階のテーパーは、前記第１段階のテーパーの遠位側に配置されていることを特徴とする請求項３０記載の道具。
【請求項３２】
前記第２段階のテーパーは、前記第１段階のテーパーに接続されていることを特徴とする請求項３１記載の道具。
【請求項３３】
前記ブレードの少なくとも１つは、前記近位の端部から前記遠位の端部に向かう方向に第１の割合、およびこれと異なる第２の割合で増大する厚さを有することを特徴とする請求項２９記載の道具。
【請求項３４】
前記第２の割合は、前記第１の割合よりも大きく、前記厚さは、該厚さが前記第１の割合で増大する位置の遠位側の位置で第２の割合で増大することを特徴とする請求項３３記載の道具。
【手続補正２】
【補正対象書類名】明細書
【補正対象項目名】０００８
【補正方法】変更
【補正の内容】
【０００８】
本発明の目的は、近位の端部と遠位の端部とを有するシャフトと、シャフトの近位の端部に接続され少なくとも第１のブレードと第２のブレードからなる先端とを含み、第１のブレードの面および第２のブレードの面が、縦の軸線の対向する側でシャフトの縦の軸線に直角で、互いに平行であり、これらの面に直角な方向にずれのある、ねじ回しによって達成される。このずれは、ブレードが力をもってネジ溝中に挿入される際にブレードとネジ溝との間に摩擦力を発生させ、ブレードにねじを保持させる。これは締まり嵌めとして知られる。
【手続補正３】
【補正対象書類名】明細書
【補正対象項目名】００１３
【補正方法】変更
【補正の内容】
【００１３】
第１のブレードと第２のブレードとの間のずれは約０．２ｍｍと約０．０２ｍｍとの間でよい。先端の頭部は実質的に十字形の断面でよい。シャフトの遠位の端部は結合部に接続されてよい。このねじ回しは主要な直径が約０．５ｍｍから約１０ｍｍまでのねじをねじ込むために使用可能である。
【手続補正４】
【補正対象書類名】明細書
【補正対象項目名】００１７
【補正方法】変更
【補正の内容】
【００１７】
図２Ａにより詳細に示されるように、先端１２は、細長い部材４の縦の軸線１０に直角な表面をそれぞれ備えた少なくとも第１のブレード１４と第２のブレード１６を有している。第１と第２のブレード１４、１６は縦の軸線１０の回りに実質的に対向しており、これらブレードの表面に直角な方向で互いにずれている。片寄りのある形状により、第１と第２のブレード１４、１６の外面がねじ溝に挿入される際にねじ溝の壁に対して押しつけられ、ねじ溝の壁に沿って摩擦を発生させ、ねじ回しの先端１２の上にねじが保持される。これは、有効な摩擦のある嵌合を発生させ、従来の形状ではねじの頭部の縁に沿って摩擦のみの関係を特徴とするので、利点であると考えられる。他の形状も考えられるが、先端１２の形状は、好ましくは、頭部が平らな種類のねじと共に使用される。